(57)【要約】  本開示は、端末が下り制御チャネルを受信することと、前記端末が前記下り制御チャネルに従って上り復調基準信号（ＤＭＲＳ）の伝送位置を決定することとを含む、上りＤＭＲＳの伝送位置を動的に決定する方法および装置を提供する。【選択図】        図３
2019525608.tif 000002
【特許請求の範囲】
【請求項１】
上り復調基準信号（ＤＭＲＳ）の伝送位置を動的に決定する方法であって、
端末が下り制御チャネルを受信することと、
前記端末が前記下り制御チャネルに従って上りＤＭＲＳの伝送位置を決定することとを含む方法。
【請求項２】
請求項１に記載の方法において、
前記下り制御チャネルは、上りＤＣＩフォーマットを使用する下り制御チャネルであり、
前記端末が前記下り制御チャネルに従って上りＤＭＲＳの伝送位置を決定することは、
前記端末が前記下り制御チャネルに従って、前記下り制御チャネルによってスケジューリングされた短縮物理上り共有チャネル（ｓＰＵＳＣＨ）のＤＭＲＳの伝送位置を決定することを含む
ことを特徴とする方法。
【請求項３】
請求項２に記載の方法において、
前記ｓＰＵＳＣＨとＤＭＲＳは異なるスケジューリングシーケンスを使用する
ことを特徴とする方法。
【請求項４】
請求項３に記載の方法において、
番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である
こと含むことを特徴とする方法。
【請求項５】
請求項１に記載の方法において、
複数の上りＤＭＲＳパターンを予め定義することをさらに含み、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される
ことを特徴とする方法。
【請求項６】
請求項１に記載の方法において、
前記下り制御チャネルは、下りＤＣＩフォーマットを使用する下り制御チャネルであり、
前記端末が前記下り制御チャネルに従って上りＤＭＲＳの伝送位置を決定することは、前記端末が、前記下り制御チャネルに従って、前記下り制御チャネルに対応するＡＣＫ／ＮＡＣＫフィードバック情報を伝送するｓＰＵＣＣＨのＤＭＲＳの伝送位置を決定することを含む
ことを特徴とする方法。
【請求項７】
請求項６に記載の方法において、
前記ｓＰＵＣＣＨとＤＭＲＳは異なるスケジューリングシーケンスを使用する
ことを特徴とする方法。
【請求項８】
請求項７に記載の方法において、
番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である
ことを含むことを特徴とする方法。
【請求項９】
請求項１に記載の方法において、
複数の端末時分割多重（ＴＤＭ）が異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置が前記下り制御チャンネルによって指示される
ことを特徴とする方法。
【請求項１０】
請求項１に記載の方法において、
端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される
ことを特徴とする方法。
【請求項１１】
上り復調基準信号（ＤＭＲＳ）の伝送位置を動的に決定するための方法であって、
基地局が上りＤＭＲＳの伝送位置を決定することと、
基地局が下り制御チャンネルを送信して、前記上りＤＭＲＳの伝送位置を確定するための情報を端末に通知するスことを含む
ことを特徴とする方法。
【請求項１２】
請求項１１に記載の方法において、
前記下り制御チャネルは、上りＤＣＩフォーマットを使用する下り制御チャネルであり、
前記基地局が上りＤＭＲＳの伝送位置を決定することは、
前記基地局が、前記下り制御チャネルによってスケジューリングされた短縮物理上り共有チャネル（ｓＰＵＳＣＨ）のＤＭＲＳの伝送位置を決定し、前記ＤＭＲＳの伝送位置を確定するための情報を前記下り制御チャネルによって端末に通知することを含む
ことを特徴とする方法。
【請求項１３】
請求項１２に記載の方法において、
前記ｓＰＵＳＣＨとＤＭＲＳは異なるスケジューリングシーケンスを使用する
ことを特徴とする方法。
【請求項１４】
請求項１３に記載の方法において、
番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である
ことを含むことを特徴とする方法。
【請求項１５】
請求項１１に記載の方法において、
複数の上りＤＭＲＳパターンを予め定義することをさらに含み、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される
ことを特徴とする方法。
【請求項１６】
請求項１１に記載の方法において、
前記下り制御チャネルは、下りＤＣＩフォーマットを使用する下り制御チャネルであり、
前記基地局が上りＤＭＲＳの伝送位置を決定することは、前記基地局が、前記下り制御チャネルに対応するＡＣＫ／ＮＡＣＫフィードバック情報を伝送するｓＰＵＣＣＨのＤＭＲＳの伝送位置を決定し、前記ＤＭＲＳの伝送位置を確定するための情報を前記下り制御チャネルによって端末に通知することを含む
ことを特徴とする方法。
【請求項１７】
請求項１６に記載の方法において、
前記ｓＰＵＣＣＨとＤＭＲＳは異なるスケジューリングシーケンスを使用する
ことを特徴とする方法。
【請求項１８】
請求項１７に記載の方法において、
番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであること、
または、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である
ことを含むことを特徴とする方法。
【請求項１９】
請求項１１に記載の方法において、
複数の端末ＴＤＭが異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置が前記下り制御チャンネルによって指示される
ことを特徴とする方法。
【請求項２０】
請求項１１に記載の方法において、
端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される
ことを特徴とする方法。
【請求項２１】
下り制御チャンネルを受信する受信モジュールと、
前記下り制御チャンネルに従って上り復調基準信号（ＤＭＲＳ）の伝送位置を決定する第１決定モジュールとを備える
ことを特徴とする端末。
【請求項２２】
請求項２１に記載の端末において、
前記下り制御チャネルは、上りＤＣＩフォーマットを使用する下り制御チャネルであり、
前記決定モジュールはさらに、前記下り制御チャネルによってスケジューリングされた短縮物理上り共有チャネル（ｓＰＵＳＣＨ）のＤＭＲＳの伝送位置を前記下り制御チャネルに従って決定する
ことを特徴とする端末。
【請求項２３】
請求項２２に記載の端末において、
前記ｓＰＵＳＣＨとＤＭＲＳは異なるスケジューリングシーケンスを使用する
ことを特徴とする端末。
【請求項２４】
請求項２３に記載の端末において、第１設定モジュールをさらに備え、
前記第１設定モジュールは、番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であり、
または、
前記第１設定モジュールは、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、
または、
前記第１設定モジュールは、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、
または、
前記第１設定モジュールは、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、
または、
前記第１設定モジュールは、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である
ことを特徴とする端末。
【請求項２５】
請求項２１に記載の端末において、
複数の上りＤＭＲＳパターンを予め定義する第２設定モジュールをさらに備え、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される
ことを特徴とする端末。
【請求項２６】
請求項２１に記載の端末において、
前記下り制御チャネルは、下りＤＣＩフォーマットを使用する下り制御チャネルであり、
前記決定モジュールはさらに、前記下り制御チャネルに対応するＡＣＫ／ＮＡＣＫフィードバック情報を伝送する（ｓＰＵＣＣＨ）のＤＭＲＳの伝送位置を前記下り制御チャネルに従って決定する
ことを特徴とする端末。
【請求項２７】
請求項２６に記載の端末において、
前記ｓＰＵＣＣＨとＤＭＲＳは異なるスケジューリングシーケンスを使用する
ことを特徴とする端末。
【請求項２８】
請求項２７に記載の端末において、第３設定モジュールをさらに備え、
前記第３設定モジュールは、番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であり、
または、
第３設定モジュールは、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、
または、
第３設定モジュールは、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、
または、
第３設定モジュールは、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、
または、
第３設定モジュールは、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である
ことを特徴とする端末。
【請求項２９】
請求項２１に記載の端末において、
複数の端末時分割多重（ＴＤＭ）が異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置が前記下り制御チャンネルによって指示される
ことを特徴とする端末。
【請求項３０】
請求項２１に記載の端末において、
端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される
ことを特徴とする端末。
【請求項３１】
上り復調基準信号（ＤＭＲＳ）の伝送位置を決定するための第２決定モジュールと、
下り制御チャンネルを送信して、前記上りＤＭＲＳの伝送位置を確定するための情報を端末に通知するための通知モジュールとを備える
基地局。
【請求項３２】
請求項３１に記載の基地局において、
前記下り制御チャネルは、上りＤＣＩフォーマットを使用する下り制御チャネルであり、
前記第２決定モジュールはさらに、前記下り制御チャネルによってスケジューリングされた短縮物理上り共有チャネル（ｓＰＵＳＣＨ）のＤＭＲＳの伝送位置を決定し、前記ＤＭＲＳの伝送位置を確定するための情報を前記下り制御チャネルによって端末に通知する
ことを特徴とする基地局。
【請求項３３】
請求項３２に記載の基地局において、
前記ｓＰＵＳＣＨとＤＭＲＳは異なるスケジューリングシーケンスを使用する
ことを特徴とする基地局。
【請求項３４】
請求項３３に記載の基地局において、第４設定モジュールをさらに備え、
前記第４設定モジュールは、番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であり、
または、
前記第４設定モジュールは、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、
または、
前記第４設定モジュールは、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、
または、
前記第４設定モジュールは、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、
または、
前記第４設定モジュールは、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である
ことを特徴とする基地局。
【請求項３５】
請求項３１に記載の基地局において、
複数の上りＤＭＲＳパターンを予め定義する第５設定モジュールをさらに備え、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される
ことを特徴とする基地局。
【請求項３６】
請求項３１に記載の基地局において、
前記下り制御チャネルは、下りＤＣＩフォーマットを使用する下り制御チャネルであり、
前記第２決定モジュールはさらに、前記下り制御チャネルに対応するＡＣＫ／ＮＡＣＫフィードバック情報を伝送するｓＰＵＣＣＨのＤＭＲＳの伝送位置を決定し、前記ＤＭＲＳの伝送位置を確定するための情報を前記下り制御チャネルによって端末に通知する
ことを特徴とする基地局。
【請求項３７】
請求項３６に記載の基地局において、
前記ｓＰＵＣＣＨとＤＭＲＳは異なるスケジューリングシーケンスを使用する
ことを特徴とする基地局。
【請求項３８】
請求項３７に記載の基地局において、第６設定モジュールをさらに備え、
前記第６設定モジュールは、番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、
または、
前記第６設定モジュールは、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、
または、
前記第６設定モジュールは、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、
または、
前記第６設定モジュールは、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、
または、
前記第６設定モジュールは、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルである
ことを特徴とする基地局。
【請求項３９】
請求項３１に記載の基地局において、
複数の端末ＴＤＭが異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置が前記下り制御チャンネルによって指示される
ことを特徴とする基地局。
【請求項４０】
請求項３１に記載の基地局において、
端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される
ことを特徴とする基地局。
【請求項４１】
メモリと、トランシーバと、プロセッサと、を備え、
前記トランシーバは、プロセッサの制御でデータを送受信するように構成され、
前記プロセッサは、メモリ内のプログラムを読み取り、以下のプロセスを実行する：
下り制御チャネルを受信する；
下り制御チャネルに従って、上り復調基準信号（ＤＭＲＳ）の伝送位置を決定する
ことを特徴とする端末。
【請求項４２】
メモリと、トランシーバと、プロセッサと、を備え、
前記トランシーバは、プロセッサの制御でデータを送受信するように構成され、
前記プロセッサは、メモリ内のプログラムを読み取り、以下のプロセスを実行する：
上り復調基準信号（ＤＭＲＳ）の伝送位置を決定する；
下り制御チャネルを送信し、前記上りＤＭＲＳの伝送位置を確定するための情報を端末に通知する
ことを特徴とする基地局。
【発明の詳細な説明】
【技術分野】
【０００１】
本出願は、２０１６年８月４日に出願された中国特許出願第２０１６１０６３４４６１．３号の優先権を主張し、そのすべての内容が参照により本明細書に組み込まれる。
【０００２】
本開示は、通信技術の分野に関し、特に、ＵＬ（上り）ＤＭＲＳ（Ｄｅｍｏｄｕｌａｔｉｏｎ Ｒｅｆｅｒｅｎｃｅ Ｓｉｇｎａｌ：復調基準信号）の伝送位置を動的に決定するための方法および装置に関する。
【背景技術】
【０００３】
ＬＴＥ（長期的進化：Ｌｏｎｇ Ｔｅｒｍ Ｅｖｏｌｕｔｉｏｎ）  ＦＤＤ（周波数分割複信：Ｆｒｅｑｕｅｎｃｙ Ｄｉｖｉｓｉｏｎ Ｄｕａｌ Ｆｒｅｑｕｅｎｃｙ Ｄｉｖｉｓｉｏｎ Ｄｕｐｌｅｘ）システムは、フレーム構造タイプ１（ｆｒａｍｅ ｓｔｒｕｃｔｕｒｅ ｔｙｐｅ １、ＦＳ１と略記する）を採用し、その構成が図１に示される。ＦＤＤシステムでは、上りと下り伝送は異なるキャリア周波数を使用するが、上りと下り伝送は同じフレーム構造を使用する。各キャリア上で、長さ１０ｍｓの無線フレームには、１０個の１ｍｓのサブフレームが含まれており、各サブフレームは２つの、長さ０．５ｍｓのタイムスロットに分割される。上り及び下りのデータ伝送のＴＴＩ（Ｔｒａｎｓｍｉｓｓｉｏｎ Ｔｉｍｅ Ｉｎｔｅｒｖａｌ）時間長は１ｍｓである。
【０００４】
従来のＬＴＥ ＴＤＤ（Ｔｉｍｅ Ｄｉｖｉｓｉｏｎ Ｄｕｐｌｅｘ：時分割複信）システムは、図２に示すように、フレーム構造タイプ２（ｆｒａｍｅ ｓｔｒｕｃｔｕｒｅ ｔｙｐｅ ２、ＦＳ２と略記する）を使用する。ＴＤＤシステムでは、上りおよび下り伝送は、同じ周波数上で異なるサブフレームまたは異なるタイムスロットを使用する。ＦＳ２の長さ１０ｍｓの各無線フレームは２つの、長さ５ｍｓのハーフフレームで構成され、各ハーフフレームには長さ１ｍｓの５つのサブフレームが含まれる。ＦＳ２のサブフレームは、下りサブフレーム、上りサブフレーム、および特別サブフレームという３つのカテゴリに分類されており、各特別サブフレームは、下り伝送タイムスロット（ＤｗＰＴＳ：下りパイロットタイムスロット）、ガード間隔（ＧＰ：ガード期間）、および上り伝送タイムスロット（ＵｐＰＴＳ：上りパイロットタイムスロット）という３つの部分からなる。各ハーフフレームは、少なくとも１つの下りサブフレーム、少なくとも１つの上りサブフレーム、および１つ以下の特別サブフレームを含む。
【０００５】
短ＴＴＩ伝送の一般的な作動方式は、従来のＬＴＥメカニズムで定義されたサブフレーム構造には１ｍｓよりも短い短ＴＴＩ伝送が複数含まれているものである。短ＴＴＩの長さは、２つ、３つ、４つ、７つのＯＦＤＭ（直交周波数分割多重）またはＳＣ−ＦＤＭＡ（Ｓｉｎｇｌｅ−ｃａｒｒｉｅｒ Ｆｒｅｑｕｅｎｃｙ−Ｄｉｖｉｓｉｏｎ Ｍｕｌｔｉｐｌｅ Ａｃｃｅｓｓ：シングルキャリア周波数分割多元接続）シンボルとすることができるが、１４よりも少ないシンボルの数、または１ｍｓよりも短い時間長さを有するものを排除しないことが当然である。サブフレームは短ＴＴＩを複数備え、各短ＴＴＩは、短縮物理上り制御チャネル（ｓＰＵＣＣＨ：ｓｈｏｒｔｅｎｅｄ Ｐｈｙｓｉｃａｌ Ｕｐｌｉｎｋ Ｃｏｎｔｒｏｌ ＣＨａｎｎｅｌ）、または短縮物理上り共有チャネル（ｓＰＵＳＣＨ：ｓｈｏｒｔｅｎｅｄ Ｐｈｙｓｉｃａｌ Ｕｐｌｉｎｋ Ｓｈａｒｅｄ ＣＨａｎｎｅｌ）転送を実行するように、同じ端末または異なる端末にスケジューリングされることができる。
【０００６】
ＬＴＥシステムでは、チャネル伝送及びＤＭＲＳパターン（ｐａｔｔｅｒｎ）は、サブフレーム単位で定義されており、短ＴＴＩ伝送は、多種の短ＴＴＩ長をサポートし、１つのサブフレームに複数の短ＴＴＩ伝送を含むことができるので、各短ＴＴＩにもＤＭＲＳが含まれれば、ＤＭＲＳのオーバーヘッドが多すぎることになる。
【０００７】
したがって、従来のＬＴＥシステムの規格では、短ＴＴＩ伝送に適用なＤＭＲＳ方式が存在しない。
【発明の概要】
【０００８】
上記の技術的課題に鑑み、本開示の実施形態は、技術課題を解決するために、上りＤＭＲＳの伝送位置を動的に決定することにより、短ＴＴＩ伝送におけるＤＭＲＳのオーバーヘッドを低減するように、上りＤＭＲＳの伝送位置を動的に決定するための方法及び装置を提供する。
【０００９】
本開示の実施形態の第１の態様によれば、端末が下り制御チャネルを受信することと、前記端末が下り制御チャネルに従って上り復調基準信号（ＤＭＲＳ）の伝送位置を決定することとを含む、上りＤＭＲＳの伝送位置を動的に決定する方法が提供される。
【００１０】
オプションとして、前記下り制御チャネルは、上りＤＣＩフォーマットを使用する下り制御チャネルであり、前記端末が下り制御チャネルに従って上りＤＭＲＳの伝送位置を決定することは、前記端末が前記下り制御チャネルに従って、前記下り制御チャネルによってスケジューリングされた短縮物理上り共有チャネル（ｓＰＵＳＣＨ）のＤＭＲＳの伝送位置を決定することを含む。
【００１１】
オプションとして、前記ｓＰＵＳＣＨとＤＭＲＳは異なるスケジューリングシーケンスを使用する。
【００１２】
オプションとして、この方法は、番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であること、または、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であること、または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であること、または、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であること、または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数であること、を含む。
【００１３】
オプションとして、この方法は、複数の上りＤＭＲＳパターンを予め定義することをさらに含み、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される。
【００１４】
オプションとして、前記下り制御チャネルは、下りＤＣＩフォーマットを使用する下り制御チャネルであり、前記端末が前記下り制御チャネルに従って上りＤＭＲＳの伝送位置を決定することは、前記端末が、前記下り制御チャネルに従って、前記下り制御チャネルに対応するＡＣＫ／ＮＡＣＫフィードバック情報を伝送するｓＰＵＣＣＨのＤＭＲＳの伝送位置を決定することを含む。
【００１５】
オプションとして、前記ｓＰＵＣＣＨとＤＭＲＳは異なるスケジューリングシーケンスを使用する。
【００１６】
オプションとして、この方法は、番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であること、または、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であること、または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であること、または、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であること、または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数であることを含む。
【００１７】
オプションとして、複数の端末時分割多重（ＴＤＭ）が異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置が前記下り制御チャンネルによって指示される。
【００１８】
オプションとして、端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される。
【００１９】
本開示の実施形態の第二の態様によれば、上りＤＭＲＳの伝送位置を動的に決定するための方法であって、基地局が上りＤＭＲＳの伝送位置を決定することと、基地局が下り制御チャンネルを送信して、前記上りＤＭＲＳの伝送位置を確定するための情報を端末に通知することとを含む。
【００２０】
オプションとして、前記下り制御チャネルは、上りＤＣＩフォーマットを使用する下り制御チャネルであり、前記基地局が上りＤＭＲＳの伝送位置を決定することは、前記基地局が、前記下り制御チャネルによってスケジューリングされた短縮物理上り共有チャネルｓＰＵＳＣＨのＤＭＲＳの伝送位置を決定し、前記ＤＭＲＳの伝送位置を確定するための情報を前記下り制御チャネルによって端末に通知することを含む。
【００２１】
オプションとして、前記ｓＰＵＳＣＨとＤＭＲＳは異なるスケジューリングシーケンスを使用する。
【００２２】
オプションとして、この方法は、番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であること、または、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であること、または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であること、または、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であること、または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数であることを含む。
【００２３】
オプションとして、この方法は、複数の上りＤＭＲＳパターンを予め定義することをさらに含み、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される。
【００２４】
オプションとして、前記下り制御チャネルは、下りＤＣＩフォーマットを使用する下り制御チャネルであり、前記基地局が上りＤＭＲＳの伝送位置を決定することは、前記基地局が、前記下り制御チャネルに対応するＡＣＫ／ＮＡＣＫフィードバック情報を伝送するｓＰＵＣＣＨのＤＭＲＳの伝送位置を決定し、前記ＤＭＲＳの伝送位置を確定するための情報を前記下り制御チャネルによって端末に通知することを含む。
【００２５】
オプションとして、前記ｓＰＵＣＣＨとＤＭＲＳは異なるスケジューリングシーケンスを使用する。
【００２６】
オプションとして、この方法は、番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであること、または、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであること、または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であること、または、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であること、または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数であることを含む。
【００２７】
オプションとして、複数の端末ＴＤＭが異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置が前記下り制御チャンネルによって指示される。
【００２８】
オプションとして、端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される。
【００２９】
本開示の実施形態の第三の態様によれば、下り制御チャンネルを受信する受信モジュールと、前記下り制御チャンネルに従って上り復調基準信号（ＤＭＲＳ）の伝送位置を決定する第１決定モジュールとを備える端末をさらに提供する。
【００３０】
オプションとして、前記下り制御チャネルは、上りＤＣＩフォーマットを使用する下り制御チャネルであり、前記決定モジュールはさらに、前記下り制御チャネルによってスケジューリングされた短縮物理上り共有チャネル（ｓＰＵＳＣＨ）のＤＭＲＳの伝送位置を前記下り制御チャネルに従って決定する。
【００３１】
オプションとして、前記ｓＰＵＳＣＨとＤＭＲＳは異なるスケジューリングシーケンスを使用する。
【００３２】
前記端末は、第１設定モジュールをさらに備え、前記第１設定モジュールが、番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であり、または、前記第１設定モジュールが、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、または、前記第１設定モジュールが、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、または、前記第１設定モジュールが、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、または、前記第１設定モジュールが、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である。
【００３３】
オプションとして、前記端末は、複数の上りＤＭＲＳパターンを予め定義する第２設定モジュールをさらに備え、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される。
【００３４】
オプションとして、前記下り制御チャネルは、下りＤＣＩフォーマットを使用する下り制御チャネルであり、前記決定モジュールはさらに、前記下り制御チャネルに対応するＡＣＫ／ＮＡＣＫフィードバック情報を伝送するｓＰＵＣＣＨのＤＭＲＳの伝送位置を前記下り制御チャネルに従って決定する。
【００３５】
オプションとして、前記ｓＰＵＣＣＨとＤＭＲＳは異なるスケジューリングシーケンスを使用する。
【００３６】
オプションとして、前記端末は、第３設定モジュールをさらに備え、前記第３設定モジュールが、番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であり、または、前記第３設定モジュールが、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、または、前記第３設定モジュールが、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、または、前記第３設定モジュールが、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、または、前記第３設定モジュールが、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である。
【００３７】
オプションとして、複数の端末時分割多重（ＴＤＭ）が異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置が前記下り制御チャンネルによって指示される。
【００３８】
オプションとして、端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される。
【００３９】
本開示の実施形態の第四の態様によれば、上りＤＭＲＳの伝送位置を決定するための第２決定モジュールと、下り制御チャンネルを送信して、前記上りＤＭＲＳの伝送位置を確定するための情報を端末に通知するための通知モジュールとを備える基地局を提供する。
【００４０】
オプションとして、前記下り制御チャネルは、上りＤＣＩフォーマットを使用する下り制御チャネルであり、前記第２決定モジュールはさらに、前記下り制御チャネルによってスケジューリングされた短縮物理上り共有チャネル（ｓＰＵＳＣＨ）のＤＭＲＳの伝送位置を決定し、前記ＤＭＲＳの伝送位置を確定するための情報を前記下り制御チャネルによって端末に通知する。
【００４１】
オプションとして、前記ｓＰＵＳＣＨとＤＭＲＳは異なるスケジューリングシーケンスを使用する。
【００４２】
オプションとして、前記基地局は、第４設定モジュールをさらに備え、前記第４設定モジュールが、番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎは自然数であり、または、前記第４設定モジュールが、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、または、前記第４設定モジュールが、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、または、前記第４設定モジュールが、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、または、前記第４設定モジュールが、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である。
【００４３】
オプションとして、前記基地局は、複数の上りＤＭＲＳパターンを予め定義する第５設定モジュールをさらに備え、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される。
【００４４】
オプションとして、前記下り制御チャネルは、下りＤＣＩフォーマットを使用する下り制御チャネルであり、前記第２決定モジュールはさらに、前記下り制御チャネルに対応するＡＣＫ／ＮＡＣＫフィードバック情報を伝送するｓＰＵＣＣＨのＤＭＲＳの伝送位置を決定し、前記ＤＭＲＳの伝送位置を確定するための情報を前記下り制御チャネルによって端末に通知する。
【００４５】
オプションとして、前記ｓＰＵＣＣＨとＤＭＲＳは異なるスケジューリングシーケンスを使用する。
【００４６】
オプションとして、前記基地局は、第６設定モジュールをさらに備え、前記第６設定モジュールが、番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、または、前記第６設定モジュールが、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、または、前記第６設定モジュールが、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、または、前記第６設定モジュールが、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、または、前記第６設定モジュールが、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルである。
【００４７】
オプションとして、複数の端末ＴＤＭが異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置が前記下り制御チャンネルによって指示される。
【００４８】
オプションとして、端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される。
【００４９】
上述の技術案の１つは、下り制御チャネルを介して上り伝送のＤＭＲＳの位置を取得し、ｓＰＵＳＣＨ／ｓＰＵＣＣＨの伝送状況に基づいてＤＭＲＳの挿入位置を決定するという利点または有益な効果を有する。そして、短ＴＴＩ伝送のＤＭＲＳによるオーバーヘッドが低減されるとともに、ＤＭＲＳの復調性能が改善される。
【図面の簡単な説明】
【００５０】
【図１】図１は、ＬＴＥ ＦＤＤシステムによって使用されるフレーム構造の概略図である。
【図２】図２は、ＬＴＥ ＦＤＤシステムによって使用されるフレーム構造の概略図である。
【図３】図３は、本開示の実施形態による、上りＤＭＲＳの伝送位置を動的に決定するための方法のフローチャートである。
【図４】図４は、本開示の実施形態による、上りＤＭＲＳの伝送位置を動的に決定するための方法のフローチャートである。
【図５】図５は、本開示の実施形態において、基地局が１つのタイムスロットにおいて長さが２つのＳＣ−ＦＤＭＡシンボルに該当するｓＰＵＳＣＨ伝送を３つの端末に連続してスケジューリングすることを示す概略図である。
【図６】図６は、本開示の実施形態によるスケジューリング方法の概略図である。
【図７】図７は、本開示の実施形態によるＤＭＲＳパターンの概略図である。
【図８】図８は、本開示の実施形態によるＤＭＲＳパターンの概略図である。
【図９】図９は、本開示の実施形態による端末の構造のブロック図である。
【図１０】図１０は、本開示の実施形態による基地局の構造のブロック図である。
【図１１】図１１は、本開示の実施形態による端末の構造のブロック図である。
【図１２】図１２は、本開示の実施形態による基地局の構造のブロック図である。
【発明を実施するための形態】
【００５１】
以下、本開示の例示的な実施形態は、添付の図面を参照して詳細に説明される。本開示の例示的な実施形態が図面に示されているが、本開示は、様々な形態で具体化され、本明細書に記載の実施形態によって限定されないことを理解されたい。これらの実施形態は、本開示がより十分に理解され、本開示の範囲が当業者に完全に伝えられるために提供される。
【００５２】
当業者にとって、本開示の実施形態は、システム、装置、デバイス、方法、またはコンピュータプログラム製品として実装されることができる。したがって、本開示の実施形態は、完全なハードウェア、完全なソフトウェア（ファームウェア、常駐ソフトウェア、マイクロコードなどを含む）、またはハードウェアとソフトウェアの組み合わせの形態で具体化されてもよい。
【００５３】
本開示の実施形態では、関与するデバイスは、基地局と端末とを含み、基地局と該基地局にアクセスした端末との間で下り伝送および上り受信を行うことができる。
【００５４】
端末は、ユーザ機器（Ｕｓｅｒ Ｅｑｕｉｐｍｅｎｔ、ＵＥと略記する）と呼ばれ、またはターミナル、移動局（Ｍｏｂｉｌｅ Ｓｔａｔｉｏｎ、ＭＳと略記する）、携帯端末（Ｍｏｂｉｌｅ Ｔｅｒｍｉｎａｌ）などと呼ばれることができる。該端末は、無線アクセスネットワークを介して１つまたは複数のコアネットワークと通信することができる。例えば、端末は、携帯電話（または「セルラ」電話とも呼ぶ）や、携帯端末を備えたコンピュータであってもよいが、例えば、端末はさらに、無線アクセスネットワークと音声および/またはデータを交換する、ポータブル型、ポケット型、ハンドヘルド型、コンピュータ内蔵型、または車載型のモバイルデバイスであってもよい。また、本開示の実施形態による端末は、デバイスーツーデバイス（Ｄｅｖｉｃｅ ｔｏ Ｄｅｖｉｃｅ、Ｄ２Ｄと略記する）端末、またはマシンーツーマシン（Ｍａｃｈｉｎｅ ｔｏ Ｍａｃｈｉｎｅ、Ｍ２Ｍと略記する）端末であってもよい。
【００５５】
実施形態では、図３に示すように、上りＤＭＲＳの伝送位置を動的に決定する方法は、具体的に、端末が下り制御チャネルを受信するステップ３０１と、端末が下り制御チャネルに従って上り復調基準信号（ＤＭＲＳ）の伝送位置を決定するステップ３０２とを含む。
【００５６】
オプションとして、本実施形態では、下り制御チャネルは、上りＤＣＩフォーマットを使用する下り制御チャネルであり、端末が下り制御チャネルに従って上り復調基準信号（ＤＭＲＳ）の伝送位置を決定する前記ステップ３０２は、端末が下り制御チャネルに従って、前記下り制御チャネルによってスケジューリングされた短縮物理上り共有チャネル（ｓＰＵＳＣＨ）のＤＭＲＳの伝送位置を決定することを含む。
【００５７】
オプションとして、本実施形態では、ｓＰＵＳＣＨとＤＭＲＳは異なるスケジューリングシーケンスを使用する。
【００５８】
オプションとして、本実施形態では、この方法は、番号ｎのサブフレームあるいは短ＴＴＩにて伝送され、上りＤＣＩフォーマットを用いる下り制御チャネルによりｎ＋ｋ＋ｍ１（ｎ＋ｋ＋ｍ１は、番号ｎのサブフレームまたは短ＴＴＩよりもＫ＋ｍ１単位の時間領域位置だけ遅延することを表す）の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり（一実施形態では、ｋの単位はサブフレームあるいは短ＴＴＩであり、ｍ１、ｍ２の単位はＳＣ−ＦＤＭＡシンボルであり、別の実施形態では、ｋ、ｍ１の単位はサブフレームあるいは短ＴＴＩであり、ｍ２の単位はＳＣ−ＦＤＭＡシンボルである）、ｎが自然数であること、または、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり（一実施形態では、ｋ１、ｋ２の単位はサブフレームあるいは短ＴＴＩであり、ｍ１、ｍ２の単位はＳＣ−ＦＤＭＡシンボルであり、別の実施形態では、ｋ１、ｋ２、ｍ１の単位はサブフレームあるいは短ＴＴＩであり、ｍ２の単位はＳＣ−ＦＤＭＡシンボルである）、ｎが自然数であること、または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり（一実施形態では、ｋの単位はサブフレームあるいは短ＴＴＩであり、ｍ２の単位はＳＣ−ＦＤＭＡシンボルである）、ｎが自然数であること、または、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり（一実施形態では、ｋ１、ｋ２の単位はサブフレームあるいは短ＴＴＩであり、ｍ２の単位はＳＣ−ＦＤＭＡシンボルである）、ｎが自然数であること、または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり（一実施形態では、ｋの単位はサブフレームあるいは短ＴＴＩであり、ｍの単位はＳＣ−ＦＤＭＡシンボルであり、別の実施形態では、ｋ、ｍの単位はともにサブフレームあるいは短ＴＴＩである）、ｎが自然数であることを含む。
【００５９】
ここで、ｍ１及びｍ２はＤＭＲＳおよびｓＰＵＳＣＨに対して、それぞれ、予め定義するか、事前に設定するか、または下り制御チャネルによって通知する必要があり、かつｍ１及びｍ２は同一の単位で（例えば、両方がＳＣ−ＦＤＭＡシンボルの単位で）または異なる単位で（例えば、ｍ１がサブフレームまたは短ＴＴＩ、ｍ２がＳＣ−ＦＤＭＡシンボルの単位で）定義することが可能である。
【００６０】
オプションとして、本実施形態では、この方法は、複数の上りＤＭＲＳパターン（ｐａｔｔｅｒｎ）を予め定義することをさらに含み、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される。
【００６１】
オプションとして、本実施形態では、下り制御チャネルは、下りＤＣＩフォーマットを使用する下り制御チャネル（すなわち、ＤＬ  ｇｒａｎｔ、あるいは下りＳＰＳリソースの解放を指示する下り制御チャンネル）である。
【００６２】
端末が下り制御チャネルに従って上りＤＭＲＳの伝送位置を決定する前記ステップ３０２は、端末が、前記下り制御チャネルに従って、前記下り制御チャネルに対応するＡＣＫ／ＮＡＣＫフィードバック情報を伝送するｓＰＵＣＣＨのＤＭＲＳの伝送位置を決定することを含む。
【００６３】
オプションとして、本実施形態では、ｓＰＵＣＣＨとＤＭＲＳは、異なるスケジューリングシーケンスを使用する。
【００６４】
オプションとして、本実施形態では、この方法は、番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり（一実施形態では、ｋの単位はサブフレームあるいは短ＴＴＩであり、ｍ１、ｍ２の単位はＳＣ−ＦＤＭＡシンボルであり、別の実施形態では、ｋ、ｍ１の単位はサブフレームあるいは短ＴＴＩであり、ｍ２の単位はＳＣ−ＦＤＭＡシンボルである）、ｎが自然数であること、または、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり（一実施形態では、ｋ１、ｋ２の単位はサブフレームあるいは短ＴＴＩであり、ｍ１、ｍ２の単位はＳＣ−ＦＤＭＡシンボルであり、別の実施形態では、ｋ１、ｋ２、ｍ１の単位はサブフレームあるいは短ＴＴＩであり、ｍ２の単位はＳＣ−ＦＤＭＡシンボルである）、ｎが自然数であること、または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり（一実施形態では、ｋの単位はサブフレームあるいは短ＴＴＩであり、ｍ２の単位はＳＣ−ＦＤＭＡシンボルである）、ｎが自然数であること、または、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり（一実施形態では、ｋ１、ｋ２の単位はサブフレームあるいは短ＴＴＩであり、ｍ２の単位はＳＣ−ＦＤＭＡシンボルである）、ｎが自然数であること、または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり（一実施形態では、ｋの単位はサブフレームあるいは短ＴＴＩであり、ｍの単位はＳＣ−ＦＤＭＡシンボルであり、別の実施形態では、ｋ、ｍの単位はともにサブフレームあるいは短ＴＴＩである）、ｎが自然数であることを含む。
【００６５】
前記Ｍ１とＭ２は異なっているので、ｓＰＵＳＣＨおよびＤＭＲＳに対してそれぞれに、予め定義するか、事前に設定するか、または下り制御チャネルによって通知する必要がある。オプションとして、本実施形態では、複数の端末時分割多重（ＴＤＭ）が異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置、例えば１つのタイムスロット／サブフレームにおける１つ目のシンボル、または１つのタイムスロット／サブフレームにおける他の位置が前記下り制御チャンネルによって指示される。
【００６６】
オプションとして、本実施形態では、端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される。例えば、前記複数の上り短ＴＴＩ伝送のうちｉ番目の上り短ＴＴＩ伝送とｉ＋１番目の上り短ＴＴＩ伝送との間で、前記複数の上り短ＴＴＩ伝送は同じ時間領域位置を共有してＤＭＲＳを伝送し、あるいはともにチャネル推定を同じＤＭＲＳに基づいて実施する。
【００６７】
本実施形態では、下り制御チャネルを介して上り伝送のＤＭＲＳの位置を取得し、ｓＰＵＳＣＨ／ｓＰＵＣＣＨの伝送状況に基づいてＤＭＲＳの挿入位置を決定する。そして、短ＴＴＩ伝送のＤＭＲＳにオーバーヘッドが低減されるとともに、ＤＭＲＳの復調性能が改善される。
【００６８】
実施形態では、図４に示すように、上りＤＭＲＳの伝送位置を動的に決定する方法は、具体的に、基地局が上りＤＭＲＳの伝送位置を決定するステップ４０１と、基地局が下り制御チャンネルを送信して、上り復調基準信号（ＤＭＲＳ）の伝送位置を確定するための情報を端末に通知するステップ４０２とを含む。
【００６９】
オプションとして、本実施形態では、下り制御チャネルは、上りＤＣＩフォーマットを使用する下り制御チャネルである。基地局が上りＤＭＲＳの伝送位置を決定する前記ステップ４０１は、基地局が、下り制御チャネルによってスケジューリングされた短縮物理上り共有チャネル（ｓＰＵＳＣＨ）のＤＭＲＳの伝送位置を決定し、ＤＭＲＳの伝送位置を確定するための情報を下り制御チャネルによって端末に通知することを含む。
【００７０】
オプションとして、本実施形態では、前記ｓＰＵＳＣＨとＤＭＲＳは異なるスケジューリングシーケンスを使用する。
【００７１】
オプションとして、本実施形態では、この方法は、番号ｎのサブフレームあるいは短ＴＴＩにて伝送され、上りＤＣＩフォーマットを用いる下り制御チャネルによりｎ＋ｋ＋ｍ１（ｎ＋ｋ＋ｍ１は、番号ｎのサブフレームまたは短ＴＴＩよりもＫ＋ｍ１単位の時間領域位置だけ遅延することを表す）の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり（一実施形態では、ｋの単位はサブフレームあるいは短ＴＴＩであり、ｍ１、ｍ２の単位はＳＣ−ＦＤＭＡシンボルであり、別の実施形態では、ｋ、ｍ１の単位はサブフレームあるいは短ＴＴＩであり、ｍ２の単位はＳＣ−ＦＤＭＡシンボルである）、ｎが自然数であること、または、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり（一実施形態では、ｋ１、ｋ２の単位はサブフレームあるいは短ＴＴＩであり、ｍ１、ｍ２の単位はＳＣ−ＦＤＭＡシンボルであり、別の実施形態では、ｋ１、ｋ２、ｍ１の単位はサブフレームあるいは短ＴＴＩであり、ｍ２の単位はＳＣ−ＦＤＭＡシンボルである）、ｎが自然数であること、または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり（一実施形態では、ｋの単位はサブフレームあるいは短ＴＴＩであり、ｍ２の単位はＳＣ−ＦＤＭＡシンボルである）、ｎが自然数であること、または、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり（一実施形態では、ｋ１、ｋ２の単位はサブフレームあるいは短ＴＴＩであり、ｍ２の単位はＳＣ−ＦＤＭＡシンボルである）、ｎが自然数であること、または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり（一実施形態では、ｋの単位はサブフレームあるいは短ＴＴＩであり、ｍの単位はＳＣ−ＦＤＭＡシンボルであり、別の実施形態では、ｋ、ｍの単位はサブフレームあるいは短ＴＴＩである）、ｎが自然数であることを含む。
【００７２】
ここで、ｍ１及びｍ２はＤＭＲＳおよびｓＰＵＳＣＨに対して、それぞれ、予め定義するか、事前に設定するか、または下り制御チャネルによって通知する必要があり、かつｍ１及びｍ２は同一の単位で（例えば、両方がＳＣ−ＦＤＭＡシンボルの単位で）または異なる単位で（例えば、ｍ１がサブフレームまたは短ＴＴＩ、ｍ２がＳＣ−ＦＤＭＡシンボルの単位で）定義することが可能である。
【００７３】
オプションとして、本実施形態では、この方法は、複数の上りＤＭＲＳパターン（ｐａｔｔｅｒｎ）を予め定義することをさらに含み、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される。
【００７４】
オプションとして、本実施形態では、前記下り制御チャネルは、下りＤＣＩフォーマットを使用する下り制御チャネルである。前記基地局が上りＤＭＲＳの伝送位置を決定する前記こと（４０１）は、前記基地局が、前記下り制御チャネルに対応するＡＣＫ／ＮＡＣＫフィードバック情報を伝送するｓＰＵＣＣＨのＤＭＲＳの伝送位置を決定し、前記ＤＭＲＳの伝送位置を確定するための情報を前記下り制御チャネルによって端末に通知することを含む。
【００７５】
オプションとして、本実施形態では、前記ｓＰＵＣＣＨとＤＭＲＳは、異なるスケジューリングシーケンスを使用する。
【００７６】
オプションとして、本実施形態では、この方法は、番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであること（一実施形態では、ｋの単位はサブフレームあるいは短ＴＴＩであり、ｍ１、ｍ２の単位はＳＣ−ＦＤＭＡシンボルであり、別の実施形態では、ｋ、ｍ１の単位はサブフレームあるいは短ＴＴＩであり、ｍ２の単位はＳＣ−ＦＤＭＡシンボルである）；または、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであること（一実施形態では、ｋ１、ｋ２の単位はサブフレームあるいは短ＴＴＩであり、ｍ１、ｍ２の単位はＳＣ−ＦＤＭＡシンボルであり、別の実施形態では、ｋ１、ｋ２、ｍ１の単位はサブフレームあるいは短ＴＴＩであり、ｍ２の単位はＳＣ−ＦＤＭＡシンボルである）；または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり（一実施形態では、ｋの単位はサブフレームあるいは短ＴＴＩであり、ｍ２の単位はＳＣ−ＦＤＭＡシンボルである）、ｎが自然数であること、または、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり（一実施形態では、ｋ１、ｋ２の単位はサブフレームあるいは短ＴＴＩであり、ｍ２の単位はＳＣ−ＦＤＭＡシンボルである）、ｎが自然数であること、または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり（一実施形態では、ｋの単位はサブフレームあるいは短ＴＴＩであり、ｍの単位はＳＣ−ＦＤＭＡシンボルであり、別の実施形態では、ｋおよびｍの単位はともにサブフレームあるいは短ＴＴＩである）、ｎが自然数であることを含む。
【００７７】
前記Ｍ１とＭ２は異なっているので、ｓＰＵＳＣＨおよびＤＭＲＳに対してそれぞれに、予め定義するか、事前に設定するか、または下り制御チャネルによって通知する必要がある。
【００７８】
オプションとして、本実施形態では、複数の端末ＴＤＭが異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置、例えば１つのタイムスロット／サブフレームにおける１つ目のシンボル、または１つのタイムスロット／サブフレームにおける他の位置が前記下り制御チャンネルによって指示される。
【００７９】
オプションとして、本実施形態では、端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される。例えば、前記複数の上り短ＴＴＩ伝送のうちｉ番目の上り短ＴＴＩ伝送とｉ＋１番目の上り短ＴＴＩ伝送との間で、前記複数の上り短ＴＴＩ伝送は同じ時間領域位置を共有してＤＭＲＳを伝送し、あるいはともにチャネル推定を同じＤＭＲＳに基づいて実施する。
【００８０】
本実施形態では、下り制御チャネルを介して上り伝送のＤＭＲＳの位置を取得し、ｓＰＵＳＣＨ／ｓＰＵＣＣＨの伝送状況に基づいてＤＭＲＳの挿入位置を決定する。そして、短ＴＴＩ伝送のＤＭＲＳによるオーバーヘッドが低減されるとともに、ＤＭＲＳの復調性能が改善される。
実施形態では、基地局は、１つのタイムスロットにおいて、長さが２つのＳＣ−ＦＤＭＡシンボルに該当するｓＰＵＳＣＨ伝送を３つの端末に連続してスケジューリングする。図５に示すように、具体的には以下通り：
基地局側：
【００８１】
基地局は、ｎ＋ｋ＋ｍ１に該当する時間領域位置でｓＰＵＳＣＨを端末１によって伝送するようにスケジューリングするために、ＵＬ ｇｒａｎｔ １を番号ｎのサブフレームあるいは短ＴＴＩにて送信し、該ｓＰＵＳＣＨのＤＭＲＳをｎ＋ｋ＋ｍ２の時間領域位置で伝送し、ただし、ｍ１はＵＬ ｇｒａｎｔ １に含まれる第１指示フィールドにて指示され、ｍ２はＵＬ ｇｒａｎｔ １に含まれる第２指示フィールドによって指示され、ｋは予め定義され、例えばｋはｓＰＵＳＣＨの短ＴＴＩの長さを単位とし、ｍ１およびｍ２はＳＣ−ＦＤＭＡシンボルを単位とする。つまり、例えば、ｋ＝４、ｍ１＝１、ｍ２＝０の場合、番号ｎのサブフレームあるいは短ＴＴＩ（開始位置）に対してｋ＝４個の短ＴＴＩ単位の長さおよびｍ１＝１個のＳＣ−ＦＤＭＡシンボルだけ遅延した時間領域位置でｓＰＵＳＣＨを伝送し、すなわち、番号ｎのサブフレームあるいは短ＴＴＩから８番目のＳＣ−ＦＤＭＡシンボルからｓＰＵＳＣＨを伝送し、番号ｎのサブフレームあるいは短ＴＴＩに対してｋ＝４個の短ＴＴＩ単位の長さおよびｍ２＝０個のＳＣ−ＦＤＭＡシンボルだけ遅延した時間領域位置でＤＭＲＳを伝送し、すなわち、番号ｎのサブフレームあるいは短ＴＴＩから７番目のＳＣ−ＦＤＭＡシンボルからＤＭＲＳを伝送する。
【００８２】
同様に、基地局は、ｎ＋ｋ＋ｍ１に該当する時間領域位置でｓＰＵＳＣＨを端末２によって伝送するようにスケジューリングするために、ＵＬ ｇｒａｎｔ ２を番号ｎのサブフレームあるいは短ＴＴＩにて送信し、該ｓＰＵＳＣＨのＤＭＲＳをｎ＋ｋ＋ｍ２の時間領域位置で伝送する。例えば、ｍ１＝３、ｍ２＝０としてＵＬ ｇｒａｎｔ ２にて指示された場合、番号ｎのサブフレームあるいは短ＴＴＩに対してｋ＝４個の短ＴＴＩ単位の長さおよびｍ１＝３個のＳＣ−ＦＤＭＡシンボルだけ遅延した時間領域位置でｓＰＵＳＣＨを伝送し、すなわち、番号ｎのサブフレームあるいは短ＴＴＩから１０番目のＳＣ−ＦＤＭＡシンボルからｓＰＵＳＣＨを伝送し、番号ｎのサブフレームあるいは短ＴＴＩに対してｋ＝４個の短ＴＴＩ単位の長さおよびｍ２＝０個のＳＣ−ＦＤＭＡシンボルだけ遅延した時間領域位置でＤＭＲＳを伝送し、すなわち、番号ｎのサブフレームあるいは短ＴＴＩから７番目のＳＣ−ＦＤＭＡシンボルからＤＭＲＳを伝送する。もちろん、基地局は、他の番号のサブフレームあるいは短ＴＴＩにてＵＬ ｇｒａｎｔ ２を伝送して、ｍ１およびｍ２の値を調整することにより、前記時間領域位置での端末２によるｓＰＵＳＣＨおよびＤＭＲＳの伝送スケジューリングを同様に実現することもできる。
【００８３】
同様に、基地局は、ｎ＋ｋ＋ｍ１に該当する時間領域位置でｓＰＵＳＣＨを端末３によって伝送するようにスケジューリングするために、ＵＬ ｇｒａｎｔ ３を番号ｎのサブフレームあるいは短ＴＴＩにて送信し、該ｓＰＵＳＣＨのＤＭＲＳをｎ＋ｋ＋ｍ２の時間領域位置で伝送する。例えば、ｍ１＝５、ｍ２＝０としてＵＬ ｇｒａｎｔ ３にて指示された場合、番号ｎのサブフレームあるいは短ＴＴＩに対してｋ＝４個の短ＴＴＩ単位の長さおよびｍ１＝５個のＳＣ−ＦＤＭＡシンボルだけ遅延した時間領域位置でｓＰＵＳＣＨを伝送し、すなわち、番号ｎのサブフレームあるいは短ＴＴＩから１２番目のＳＣ−ＦＤＭＡシンボルからｓＰＵＳＣＨを伝送し、番号ｎのサブフレームあるいは短ＴＴＩに対してｋ＝４個の短ＴＴＩ単位の長さおよびｍ２＝０個のＳＣ−ＦＤＭＡシンボルだけ遅延した時間領域位置でＤＭＲＳを伝送し、すなわち、番号ｎのサブフレームあるいは短ＴＴＩから７番目のＳＣ−ＦＤＭＡシンボルからＤＭＲＳを伝送する。もちろん、基地局は、他の番号のサブフレームあるいは短ＴＴＩにてＵＬ ｇｒａｎｔ ３を伝送して、ｍ１およびｍ２の値を調整することにより、前記時間領域位置での端末３によるｓＰＵＳＣＨおよびＤＭＲＳの伝送スケジューリングを同様に実現することもできる。
端末側：
【００８４】
端末１は、番号ｎのサブフレームまたは短ＴＴＩにてＵＬ ｇｒａｎｔ１を受信し、ｎ＋ｋ＋ｍ１に該当する時間領域位置でｓＰＵＳＣＨを送信し、ｎ＋ｋ＋ｍ２の時間領域位置でｓＰＵＳＣＨのＤＭＲＳを送信することを決定する。ただし、ｍ１は、ＵＬ ｇｒａｎｔ１に含まれる第１指示フィールドによって指示され、ｍ２は、ＵＬ ｇｒａｎｔ１に含まれる第２指示フィールドによって指示され、ｋは予め定義され、例えば、ｋはｓＰＵＳＣＨの短ＴＴＩの長さを単位とし、ｍ１およびｍ２はＳＣ−ＦＤＭＡシンボルを単位とする。例えば、ｋ＝４、ｍ１＝１、ｍ２＝０の場合、端末１は、番号ｎのサブフレームあるいは短ＴＴＩに対してｋ＝４個の短ＴＴＩ単位の長さおよびｍ１＝１個のＳＣ−ＦＤＭＡシンボルだけ遅延した時間領域位置でｓＰＵＳＣＨを伝送し、すなわち、番号ｎのサブフレームあるいは短ＴＴＩから８番目のＳＣ−ＦＤＭＡシンボルからｓＰＵＳＣＨを伝送し、番号ｎのサブフレームあるいは短ＴＴＩに対してｋ＝４個の短ＴＴＩ単位の長さおよびｍ２＝０個のＳＣ−ＦＤＭＡシンボルだけ遅延した時間領域位置でＤＭＲＳを伝送し、すなわち、番号ｎのサブフレームあるいは短ＴＴＩから７番目のＳＣ−ＦＤＭＡシンボルからＤＭＲＳを伝送する。
【００８５】
同様に、端末２は、番号ｎのサブフレームまたは短ＴＴＩにてＵＬ ｇｒａｎｔ２を受信し、ｎ＋ｋ＋ｍ１に該当する時間領域位置でｓＰＵＳＣＨを送信し、ｎ＋ｋ＋ｍ２の時間領域位置で該ｓＰＵＳＣＨのＤＭＲＳを送信することを決定する。例えば、ｍ１＝３、ｍ２＝０としてＵＬ ｇｒａｎｔ２にて指示された場合、端末２は、番号ｎのサブフレームあるいは短ＴＴＩに対してｋ＝４個の短ＴＴＩ単位の長さおよびｍ１＝３個のＳＣ−ＦＤＭＡシンボルだけ遅延した時間領域位置でｓＰＵＳＣＨを伝送し、すなわち、番号ｎのサブフレームあるいは短ＴＴＩから１０番目のＳＣ−ＦＤＭＡシンボルからｓＰＵＳＣＨを伝送し、番号ｎのサブフレームあるいは短ＴＴＩに対してｋ＝４個の短ＴＴＩ単位の長さおよびｍ２＝０個のＳＣ−ＦＤＭＡシンボルだけ遅延した時間領域位置でＤＭＲＳを伝送し、すなわち、番号ｎのサブフレームあるいは短ＴＴＩから７番目のＳＣ−ＦＤＭＡシンボルからＤＭＲＳを伝送する。もちろん、端末２は、他の番号のサブフレームあるいは短ＴＴＩにてＵＬ ｇｒａｎｔ ２を受信して、対応するｍ１およびｍ２の値を取得することにより、前記時間領域位置でのｓＰＵＳＣＨおよびＤＭＲＳの伝送を同様に実現することもできる。
【００８６】
同様に、端末３は、番号ｎのサブフレームまたは短ＴＴＩにてＵＬ ｇｒａｎｔ３を受信し、ｎ＋ｋ＋ｍ１に該当する時間領域位置でｓＰＵＳＣＨを送信し、ｎ＋ｋ＋ｍ２の時間領域位置で該ｓＰＵＳＣＨのＤＭＲＳを送信することを決定する。例えば、ｍ１＝５、ｍ２＝０としてＵＬ ｇｒａｎｔ ３にて指示された場合、端末３は、番号ｎのサブフレームあるいは短ＴＴＩに対してｋ＝４個の短ＴＴＩ単位の長さおよびｍ１＝５個のＳＣ−ＦＤＭＡシンボルだけ遅延した時間領域位置でｓＰＵＳＣＨを伝送し、すなわち、番号ｎのサブフレームあるいは短ＴＴＩから１２番目のＳＣ−ＦＤＭＡシンボルからｓＰＵＳＣＨを伝送し、番号ｎのサブフレームあるいは短ＴＴＩに対してｋ＝４個の短ＴＴＩ単位の長さおよびｍ２＝０個のＳＣ−ＦＤＭＡシンボルだけ遅延した時間領域位置でＤＭＲＳを伝送し、すなわち、番号ｎのサブフレームあるいは短ＴＴＩから７番目のＳＣ−ＦＤＭＡシンボルからＤＭＲＳを伝送する。もちろん、端末３は、他の番号のサブフレームあるいは短ＴＴＩにてＵＬ ｇｒａｎｔ ３を伝送して、ｍ１およびｍ２の値を調整することにより、前記時間領域位置でのｓＰＵＳＣＨおよびＤＭＲＳの伝送を同様に実現することもできる。
【００８７】
前記実施形態では、基地局は、端末にｓＰＵＳＣＨ伝送が連続して複数存在すると判定した場合、該端末における複数のｓＰＵＳＣＨ伝送の間でＤＭＲＳを伝送するように指示することもできる。例えば、図６に示すスケジューリングのように、そのｓＰＵＳＣＨおよびＤＭＲＳのスケジューリングシーケンスは上記と同様であり、ここで省略する。
【００８８】
前記実施形態では、スケジューリングシーケンスを他の方式として定義した場合も同様で実現できるため、ここで省略する。ただし、ＤＭＲＳの伝送タイミングがｓＰＵＳＣＨよりも前の場合、ｍ２の値は負の値になることが可能である。ｓＰＵＳＣＨの全部または一部をｓＰＵＣＣＨに置き換える場合、対応するＵＬ ｇｒａｎｔをＤＬ ｇｒａｎｔに置き換える以外、同様であり、ここで省略する。
【００８９】
実施形態では、標準プロトコルにおいて、図７及び図８に示す２種類のＤＭＲＳパターンが予め定義されており、基地局は、当時のタイムスロットの実際のスケジューリング状況に基づいて、１つのＤＭＲＳパターンを選び、下り制御チャネルを介して端末に通知することができる。端末は、下り制御チャネルで通知されたＤＭＲＳパターンに従って１スロット内のＤＭＲＳ位置を決定し、スケジューリングシーケンスに従ってｓＰＵＳＣＨの伝送位置を決定することができる。
【００９０】
前記実施形態では、ＤＬ ｓＴＴＩとＵＬ ｓＴＴＩとは同一の周波数リソースを使用してもよく、つまりＴＤＤ方式となり、または異なる周波数リソースを使用してもよく、つまりＦＤＤ方式となる。このため、本開示の方法は、ＴＤＤおよびＦＤＤシステムの両方にも適用される。
【００９１】
実施形態では、図９に示すように、端末９００は、下り制御チャンネルを受信する受信モジュール９０１と、前記下り制御チャンネルに従って上り復調基準信号（ＤＭＲＳ）の伝送位置を決定する第１決定モジュール９０２とを備える。
【００９２】
本実施形態では、オプションとして、前記下り制御チャネルは、上りＤＣＩフォーマットを使用する下り制御チャネルであり、前記決定モジュールはさらに、前記下り制御チャネルによってスケジューリングされた短縮物理上り共有チャネル（ｓＰＵＳＣＨ）のＤＭＲＳの伝送位置を前記下り制御チャネルに従って決定する。
【００９３】
本実施形態では、オプションとして、前記ｓＰＵＳＣＨとＤＭＲＳは異なるスケジューリングシーケンスを使用する。
【００９４】
本実施形態では、オプションとして、前記端末は、第１設定モジュールをさらに備え、前記第１設定モジュールが、番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定ことを含むされた値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であり、または、前記第１設定モジュールが、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、または、前記第１設定モジュールが、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、または、前記第１設定モジュールが、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、または、前記第１設定モジュールが、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義すし、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である。
【００９５】
本実施形態では、オプションとして、前記端末は、複数の上りＤＭＲＳパターンを予め定義する第２設定モジュールをさらに備え、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される。
【００９６】
本実施形態では、オプションとして、前記下り制御チャネルは、下りＤＣＩフォーマットを使用する下り制御チャネルであり、前記決定モジュールはさらに、前記下り制御チャネルに対応するＡＣＫ／ＮＡＣＫフィードバック情報を伝送するｓＰＵＣＣＨのＤＭＲＳの伝送位置を前記下り制御チャネルに従って決定する。
【００９７】
本実施形態では、オプションとして、ｓＰＵＣＣＨとＤＭＲＳは異なるスケジューリングシーケンスを使用する。
【００９８】
本実施形態では、オプションとして、前記端末は、第３設定モジュールをさらに備え、前記第３設定モジュールが、番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であり、または、前記第３設定モジュールが、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、または、前記第３設定モジュールが、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、または、前記第３設定モジュールが、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、または、前記第３設定モジュールが、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である。
【００９９】
本実施形態では、オプションとして、複数の端末時分割多重（ＴＤＭ）が異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置が前記下り制御チャンネルによって指示される。
【０１００】
本実施形態では、オプションとして、端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される。
【０１０１】
本実施形態では、下り制御チャネルを介して上り伝送のＤＭＲＳの位置を取得し、ｓＰＵＳＣＨ／ｓＰＵＣＣＨの伝送状況に基づいてＤＭＲＳの挿入位置を決定する。そして、短ＴＴＩ伝送のＤＭＲＳによるオーバーヘッドが低減されるとともに、ＤＭＲＳの復調性能が改善される。
【０１０２】
実施形態では、図１０に示すように、基地局１００は、上りＤＭＲＳの伝送位置を決定するための第２決定モジュール１００１と、下り制御チャンネルを送信して、前記上りＤＭＲＳの伝送位置を確定するための情報を端末に通知するための通知モジュール１００２とを備える。
【０１０３】
本実施形態では、オプションとして、前記下り制御チャネルは、上りＤＣＩフォーマットを使用する下り制御チャネルであり、前記第２決定モジュールはさらに、前記下り制御チャネルによってスケジューリングされた短縮物理上り共有チャネルｓ（ＰＵＳＣＨ）のＤＭＲＳの伝送位置を決定し、前記ＤＭＲＳの伝送位置を確定するための情報を前記下り制御チャネルによって端末に通知する。
【０１０４】
本実施形態では、オプションとして、前記ｓＰＵＳＣＨとＤＭＲＳは異なるスケジューリングシーケンスを使用する。
【０１０５】
本実施形態では、オプションとして、前記基地局は、第４設定モジュールをさらに備え、前記第４設定モジュールが、番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎは自然数であり、または、前記第４設定モジュールが、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、または、前記第４設定モジュールが、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、または、前記第４設定モジュールが、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、または、前記第４設定モジュールが、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である。
【０１０６】
本実施形態では、オプションとして、前記基地局は、複数の上りＤＭＲＳパターンを予め定義する第５設定モジュールをさらに備え、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される。
本実施形態では、オプションとして、前記下り制御チャネルは、下りＤＣＩフォーマットを使用する下り制御チャネルであり、前記第２決定モジュールはさらに、前記下り制御チャネルに対応するＡＣＫ／ＮＡＣＫフィードバック情報を伝送するｓＰＵＣＣＨのＤＭＲＳの伝送位置を決定し、前記ＤＭＲＳの伝送位置を確定するための情報を前記下り制御チャネルによって端末に通知する
【０１０７】
本実施形態では、オプションとして、前記ｓＰＵＣＣＨとＤＭＲＳは異なるスケジューリングシーケンスを使用する。
【０１０８】
本実施形態では、オプションとして、前記基地局は、第６設定モジュールをさらに備え、前記第６設定モジュールが、番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、または、前記第６設定モジュールが、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、または、前記第６設定モジュールが、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、または、前記第６設定モジュールが、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルである。
【０１０９】
本実施形態では、オプションとして、複数の端末ＴＤＭが異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置が前記下り制御チャンネルによって指示される。
【０１１０】
本実施形態では、オプションとして、端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される。
【０１１１】
本実施形態では、下り制御チャネルを介して上り伝送のＤＭＲＳの位置を取得し、ｓＰＵＳＣＨ／ｓＰＵＣＣＨの伝送状況に基づいてＤＭＲＳの挿入位置を決定する。そして、短ＴＴＩ伝送のＤＭＲＳによるオーバーヘッドが低減されるとともに、ＤＭＲＳの復調性能が改善される。
【０１１２】
実施形態では、図１１に示すように、別の構成として、本開示の実施形態は、第１プロセッサ１１０４の制御でデータを送受信し、具体的には下り制御チャンネルを受信する第１トランシーバ１１０１と、第１メモリ１１０５内のプログラムを読み取り、下り制御チャネルに従って上り復調基準信号（ＤＭＲＳ）の伝送位置を決定するというプロセスを実行する第１プロセッサ１１０４とを備える端末を提供する。
【０１１３】
図１１では、バスアーキテクチャ（第１バス１１００と表す）は任意の数の相互接続されたバスおよびブリッジを含むことができ、第１バス１１００は、第１プロセッサ１１０４を代表とする１つまたは複数のプロセッサ、および第１メモリ１１０５を代表とするメモリなどの様々な回路を互いに接続する。第１バス１１００は、当技術分野で知られているように、外部機器、電圧レギュレータ、および電力管理回路などの他の様々な回路を接続することもできるので、ここではこれ以上説明しない。第１バスインタフェース１１０３は、第１バス１１００と第１トランシーバ１１０１との間のインタフェースを提供する。第１トランシーバ１１０１は、伝送媒体上の様々な他の装置と通信するための手段を提供する、例えば複数の受信器および送信器のような１つまたは複数の素子とすることができる。第１プロセッサ１１０４によって処理されたデータは、第１トランシーバ１１０１および第１アンテナ１１０２によって無線媒体を介して送信される。さらに、第１アンテナ１１０２は、データを受信し、第１トランシーバ１１０１を介して第１プロセス１１０４に送信する。
【０１１４】
第１プロセッサ１１０４は、第１バス１１００の管理および通常の処理を担当し、計時、外部インタフェース、電圧調整、電源管理、および他の制御機能を含む様々な機能も提供することができる。第１メモリ１１０５は、第１プロセッサ１１０４が動作する際に使用するデータに用いられることができる。具体的には、第１プロセッサ１１０４は、ＣＰＵ、ＡＳＩＣ、ＦＰＧＡ、またはＣＰＬＤであってもよい。
【０１１５】
オプションとして、前記下り制御チャネルは、上りＤＣＩフォーマットを使用する下り制御チャネルである。
【０１１６】
オプションとして、第１プロセッサ１１０４はさらに、下り制御チャネルによってスケジューリングされた短縮物理上り共有チャネル（ｓＰＵＳＣＨ）のＤＭＲＳの伝送位置を、下り制御チャネルに従って決定するように構成される。
【０１１７】
オプションとして、ｓＰＵＳＣＨ及びＤＭＲＳは異なるスケジューリングシーケンスを使用する。
【０１１８】
オプションとして、第１プロセッサ１１０４はさらに、番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示するように構成され、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である。
【０１１９】
オプションとして、第１プロセッサ１１０４はさらに、複数の上りＤＭＲＳパターンを予め定義するように構成され、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される。
【０１２０】
オプションとして、前記下り制御チャネルは、下りＤＣＩフォーマットを使用する下り制御チャネルである。
【０１２１】
オプションとして、第１プロセッサ１１０４はさらに、前記下り制御チャネルに従って、前記下り制御チャネルに対応するＡＣＫ／ＮＡＣＫフィードバック情報を伝送するｓＰＵＣＣＨのＤＭＲＳの伝送位置を決定するように構成される。
【０１２２】
オプションとして、前記ｓＰＵＣＣＨとＤＭＲＳは異なるスケジューリングシーケンスを使用する。
【０１２３】
オプションとして、第１プロセッサ１１０４はさらに、番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である。
【０１２４】
オプションとして、複数の端末時分割多重（ＴＤＭ）が異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置が前記下り制御チャンネルによって指示される。
【０１２５】
オプションとして、端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される。
【０１２６】
実施形態では、図１２に示すように、別の構成として、本開示の実施形態は、第２プロセッサ１２０４の制御でデータを送受信し、具体的には下り制御チャンネルを送信する第２トランシーバ１２０１と、第２メモリ１２０５内のプログラムを読み取り、上りＤＭＲＳの伝送位置を決定するというプロセスを実行する第２プロセッサ１２０４とを備える基地局を提供する。
【０１２７】
図１２では、バスアーキテクチャ（第２バス１２００と表す）は任意の数の相互接続されたバスおよびブリッジを含むことができ、第２バス１２００は、第２プロセッサ１２０４を代表とする１つまたは複数のプロセッサ、および第２メモリ１２０５を代表とするメモリなどの様々な回路を互いに接続する。第２バス１２００は、当技術分野で知られているように、外部機器、電圧レギュレータ、および電力管理回路などの他の様々な回路を接続することもできるので、ここではこれ以上説明しない。第２バスインタフェース１２０３は、第２バス１２００と第２トランシーバ１２０１との間のインタフェースを提供する。第２トランシーバ１２０１は、伝送媒体上の様々な他の装置と通信するための手段を提供する、例えば複数の受信器および送信器のような１つまたは複数の素子とすることができる。第２プロセッサ１２０４によって処理されたデータは、第２トランシーバ１２０１および第２アンテナ１２０２によって無線媒体を介して送信される。さらに、第２アンテナ１２０２は、データを受信し、第２トランシーバ１２０１を介して第２プロセッサ１２０４に送信する。
【０１２８】
第２プロセッサ１２０４は、第２バス１２００の管理および通常の処理を担当し、計時、外部インタフェース、電圧調整、電源管理、および他の制御機能を含む様々な機能も提供することができる。第２メモリ１２０５は、第２プロセッサ１２０４が動作する際に使用するデータに用いられることができる。具体的には、第２プロセッサ１２０４は、ＣＰＵ、ＡＳＩＣ、ＦＰＧＡ、またはＣＰＬＤであってもよい。
【０１２９】
オプションとして、前記下り制御チャネルは、上りＤＣＩフォーマットを使用する下り制御チャネルである。
【０１３０】
オプションとして、第２プロセッサ１２０４はさらに、下り制御チャネルによってスケジューリングされた短縮物理上り共有チャネル（ｓＰＵＳＣＨ）のＤＭＲＳの伝送位置を決定し、前記ＤＭＲＳの伝送位置を確定するための情報を前記下り制御チャネルによって端末に通知するように構成される。
【０１３１】
オプションとして、前記ｓＰＵＳＣＨとＤＭＲＳは異なるスケジューリングシーケンスを使用する。
【０１３２】
オプションとして、第２プロセッサ１２０４はさらに、番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示する構成され、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である。
【０１３３】
オプションとして、第２プロセッサ１２０４はさらに、複数の上りＤＭＲＳパターンを予め定義するように構成され、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される。
【０１３４】
オプションとして、下り制御チャネルは、下りＤＣＩフォーマットを使用する下り制御チャネルである。
【０１３５】
オプションとして、第２プロセッサ１２０４はさらに、前記基地局によって、前記下り制御チャネルに対応するＡＣＫ／ＮＡＣＫフィードバック情報を伝送するｓＰＵＣＣＨのＤＭＲＳの伝送位置を決定し、前記ＤＭＲＳの伝送位置を確定するための情報を前記下り制御チャネルによって端末に通知するように構成される。
【０１３６】
オプションとして、前記ｓＰＵＣＣＨとＤＭＲＳは異なるスケジューリングシーケンスを使用する。
【０１３７】
オプションとして、第２プロセッサ１２０４はさらに、番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、または、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示するように構成され、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である。
【０１３８】
オプションとして、複数の端末ＴＤＭが異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置が前記下り制御チャンネルによって指示される。
【０１３９】
オプションとして、端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される。
【０１４０】
「実施形態」または「一実施形態」という用語は、実施例に関する特定の特徴、構造または特性が本公開の少なくとも１つの実施例に含まれることを表す。このため、明細書全体に現れた「実施形態では」あるいは「一実施形態では」は必ずしも同じ実施例を指すとは限らない。なお、これらの特定の特徴、構造または特性は１つまたは複数の実施例に任意に組み合わせることができる。
【０１４１】
本開示の様々な実施形態において、上述したプロセスの番号の大小は、実行順序を意味するものではなく、各プロセスの実行順序は、その機能および内部ロジックによって決定されるべきであり、本開示の実施形態の実現を制限するのではない。
【０１４２】
さらに、「システム」および「ネットワーク」という用語は、本明細書では交換可能に使用される。
【０１４３】
明細書における「および/または」という用語は、関連対象の関連関係を記述するために使用され、例えば、Ａおよび/またはＢは、Ａが独立に存在する、Ａ及びＢが同時に存在する、またはＢが独立に存在するという３つの状況を表す。さらに、文字「/」は、一般に、前後の関連対象が「または」関係にあることを表す。
【０１４４】
本明細書で提供される実施形態において、「Ａに対応するＢ」は、ＢがＡに関連し、ＢがＡに基づいて確定されることができることを表す。しかしながら、Ａに基づいてＢを確定することは、ＢがＡに基づいてのみ確定されることを意味するのではなく、Ａおよび/または他の情報に基づいて確定されてもよいことを理解されたい。
【０１４５】
本出願の実施形態において、開示される方法および装置は、他の方法で実施され得ることを理解されたい。例えば、上記の装置の実施形態は単なる例示であり、例えば、ユニットの区分は論理的な機能区分のみで、実際の実装では、複数のユニットや構成要素を組み合わせたり、 別のシステムに統合することも、一部の機能を無視することも、実行しないこともできる。さらに、本明細書に示されまたは論じられた結合または直接結合または通信接続は、いくつかのインタフェース、デバイスまたはユニットを介する間接的な結合または通信接続であってもよく、電気的、機械的または他の方法であってもよい。
【０１４６】
さらに、本開示の様々な実施形態における各機能ユニットは、１つの処理ユニットに統合されてもよく、または各ユニットに物理的に別々に含まれてもよく、さらに、２つ以上のユニットが１つのユニットに統合されてもよい。上記の統合ユニットは、ハードウェアの形態で、またはハードウェアとソフトウェア機能ユニットの形態で具現化することができる。
【０１４７】
上記ソフトウェア機能ユニットの形態で具現化された統合ユニットは、コンピュータ可読記憶媒体に格納することができる。上記のソフトウェア機能部は、記憶媒体に格納され、コンピュータ装置（パーソナルコンピュータ、サーバ、ネットワーク側のデバイスなど）に、本開示の様々な実施形態の送受信方法の一部を実行させるための複数の命令を含む。上記記憶媒体には、プログラムコードを格納することができるＵディスク、モバイルハードディスク、ＲＯＭ（Ｒｅａｄ−Ｏｎｌｙ Ｍｅｍｏｒｙ）、ＲＡＭ（Ｒａｎｄｏｍ Ａｃｃｅｓｓ Ｍｅｍｏｒｙ）、磁気ディスク、光ディスクなどの媒体が含まれる。
上記は、本開示の好ましい実施形態であり、当業者は、本開示の原理から逸脱することなく、いくつかの改善および修正を行うことができる。これらの改善および修正は本開示の保護の範囲内である。
【図１】
2019525608.tif 000003
【図２】
2019525608.tif 000004
【図３】
2019525608.tif 000005
【図４】
2019525608.tif 000006
【図５】
2019525608.tif 000007
【図６】
2019525608.tif 000008
【図７】
2019525608.tif 000009
【図８】
2019525608.tif 000010
【図９】
2019525608.tif 000011
【図１０】
2019525608.tif 000012
【図１１】
2019525608.tif 000013
【図１２】
2019525608.tif 000014
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
上り復調基準信号（ＤＭＲＳ）の伝送位置を動的に決定する方法であって、
端末が下り制御チャネルを受信することと、
前記端末が前記下り制御チャネルに従って上りＤＭＲＳの伝送位置を決定することとを含む方法。
【請求項２】
請求項１に記載の方法において、
前記下り制御チャネルは、上りＤＣＩフォーマットを使用する下り制御チャネルであり、
前記端末が前記下り制御チャネルに従って上りＤＭＲＳの伝送位置を決定することは、
前記端末が前記下り制御チャネルに従って、前記下り制御チャネルによってスケジューリングされた短縮物理上り共有チャネル（ｓＰＵＳＣＨ）のＤＭＲＳの伝送位置を決定することを含む方式１と、
複数の上りＤＭＲＳパターンを予め定義し、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される方式２と、
前記下り制御チャネルは、下りＤＣＩフォーマットを使用する下り制御チャネルであり、
前記端末が前記下り制御チャネルに従って上りＤＭＲＳの伝送位置を決定することは、前記端末が、前記下り制御チャネルに従って、前記下り制御チャネルに対応するＡＣＫ／ＮＡＣＫフィードバック情報を伝送するｓＰＵＣＣＨのＤＭＲＳの伝送位置を決定することを含む方式３と
のいずれかの一つ方式を含むことを特徴とする方法。
【請求項３】
請求項２に記載の方法において、
前記方式１を採用する場合に、
前記ｓＰＵＳＣＨとＤＭＲＳは異なるスケジューリングシーケンスを使用し、
前記方式３を採用する場合に、
前記ｓＰＵＣＣＨとＤＭＲＳは異なるスケジューリングシーケンスを使用する
ことを特徴とする方法。
【請求項４】
請求項３に記載の方法において、前記方式１を採用する場合に、
番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である
こと含み、
前記方式３を採用する場合に、
番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である
ことを含むことを特徴とする方法。
【請求項５】
請求項１に記載の方法において、
複数の端末時分割多重（ＴＤＭ）が異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置が前記下り制御チャンネルによって指示されること、及び／又は、
端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される
ことを特徴とする方法。
【請求項６】
上り復調基準信号（ＤＭＲＳ）の伝送位置を動的に決定するための方法であって、
基地局が上りＤＭＲＳの伝送位置を決定することと、
基地局が下り制御チャンネルを送信して、前記上りＤＭＲＳの伝送位置を確定するための情報を端末に通知するスことを含む
ことを特徴とする方法。
【請求項７】
請求項６に記載の方法において、
前記下り制御チャネルは、上りＤＣＩフォーマットを使用する下り制御チャネルであり、
前記基地局が上りＤＭＲＳの伝送位置を決定することは、
前記基地局が、前記下り制御チャネルによってスケジューリングされた短縮物理上り共有チャネル（ｓＰＵＳＣＨ）のＤＭＲＳの伝送位置を決定し、前記ＤＭＲＳの伝送位置を確定するための情報を前記下り制御チャネルによって端末に通知することを含む方式１と、
複数の上りＤＭＲＳパターンを予め定義し、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される方式２と、
前記下り制御チャネルは、下りＤＣＩフォーマットを使用する下り制御チャネルであり、
前記基地局が上りＤＭＲＳの伝送位置を決定することは、前記基地局が、前記下り制御チャネルに対応するＡＣＫ／ＮＡＣＫフィードバック情報を伝送するｓＰＵＣＣＨのＤＭＲＳの伝送位置を決定し、前記ＤＭＲＳの伝送位置を確定するための情報を前記下り制御チャネルによって端末に通知することを含む方式３と
のいずれかのひとつの方式を含むことを特徴とする方法。
【請求項８】
請求項７に記載の方法において、
前記方式１を採用する場合に、
前記ｓＰＵＳＣＨとＤＭＲＳは異なるスケジューリングシーケンスを使用し、
前記方式３を採用する場合に、
前記ｓＰＵＣＣＨとＤＭＲＳは異なるスケジューリングシーケンスを使用する
ことを特徴とする方法。
【請求項９】
請求項８に記載の方法において、
前記方式１を採用する場合に、
番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である
ことを含むみ、
前記方式３を採用する場合に、
番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであること、
または、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であること、
または、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である
ことを含むことを特徴とする方法。
【請求項１０】
請求項６に記載の方法において、
複数の端末ＴＤＭが異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳを伝送するための特定位置が前記下り制御チャンネルによって指示されること、及び／又は、
端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される
ことを特徴とする方法。
【請求項１１】
メモリと、トランシーバと、プロセッサと、を備え、
前記トランシーバは、プロセッサの制御でデータを送受信するように構成され、
前記プロセッサは、メモリ内のプログラムを読み取り、以下のプロセスを実行する：
下り制御チャネルを受信する；
下り制御チャネルに従って、上り復調基準信号（ＤＭＲＳ）の伝送位置を決定する
ことを特徴とする端末。
【請求項１２】
メモリと、トランシーバと、プロセッサと、を備え、
前記トランシーバは、プロセッサの制御でデータを送受信するように構成され、
前記プロセッサは、メモリ内のプログラムを読み取り、以下のプロセスを実行する：
上り復調基準信号（ＤＭＲＳ）の伝送位置を決定する；
下り制御チャネルを送信し、前記上りＤＭＲＳの伝送位置を確定するための情報を端末に通知する
ことを特徴とする基地局。
【請求項１３】
請求項１１に記載の端末において、プロセッサが、メモリに記憶されるプログラムを読み取って、
前記下り制御チャネルは、上りＤＣＩフォーマットを使用する下り制御チャネルであり、
前記端末が前記下り制御チャネルに従って上りＤＭＲＳの伝送位置を決定することは、
前記端末が前記下り制御チャネルに従って、前記下り制御チャネルによってスケジューリングされた短縮物理上り共有チャネル（ｓＰＵＳＣＨ）のＤＭＲＳの伝送位置を決定することを含む方式１と、
複数の上りＤＭＲＳパターンを予め定義し、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される方式２と、
前記下り制御チャネルは、下りＤＣＩフォーマットを使用する下り制御チャネルであり、
前記端末が前記下り制御チャネルに従って上りＤＭＲＳの伝送位置を決定することは、前記端末が、前記下り制御チャネルに従って、前記下り制御チャネルに対応するＡＣＫ／ＮＡＣＫフィードバック情報を伝送するｓＰＵＣＣＨのＤＭＲＳの伝送位置を決定することを含む方式３と
のいずれかの一つ方式を実行することを特徴とする端末。
【請求項１４】
請求項１３に記載の端末において、
前記方式１を採用する場合に、
前記ｓＰＵＳＣＨとＤＭＲＳは異なるスケジューリングシーケンスを使用し、
前記方式３を採用する場合に、
前記ｓＰＵＣＣＨとＤＭＲＳは異なるスケジューリングシーケンスを使用する
ことを特徴とする端末。
【請求項１５】
請求項１４に記載の端末において、
前記方式１を採用する場合に、
プロセッサが、番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であり、
または、プロセッサが、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、
または、プロセッサが、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、
または、プロセッサが、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、
または、プロセッサが番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数であり、
前記方式３を採用する場合に、
プロセッサが、番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であり、
または、プロセッサが、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、
または、プロセッサが、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、
または、プロセッサが、番号ｎのサブフレームあるいは短ＴＴＩにて伝送され、下りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、
または、プロセッサが、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である
ことを特徴とする端末。
【請求項１６】
請求項１１に記載の端末において、
複数の端末時分割多重（ＴＤＭ）が異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳの伝送するための特定位置が前記下り制御チャンネルによって指示されること、及び／又は、
端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される
ことを特徴とする端末。
【請求項１７】
請求項１２に記載の基地局において、プロセッサが、メモリに記憶されるプログラムを読み取って、
前記下り制御チャネルは、上りＤＣＩフォーマットを使用する下り制御チャネルであり、
上りＤＭＲＳの伝送位置を決定することは、
前記下り制御チャネルによってスケジューリングされた短縮物理上り共有チャネル（ｓＰＵＳＣＨ）のＤＭＲＳの伝送位置を決定し、前記ＤＭＲＳの伝送位置を確定するための情報を前記下り制御チャネルによって端末に通知することを含む方式１と、
複数の上りＤＭＲＳパターンを予め定義し、各ＤＭＲＳパターンは、１つのサブフレームあるいはタイムスロットにおける各短ＴＴＩの分割およびＤＭＲＳの所在位置、または、ＤＭＲＳと短ＴＴＩとの相対位置関係を少なくとも含み、予め定義された複数の上りＤＭＲＳパターンのうちの１つが前記下り制御チャネルの指示フィールドにて指示される方式２と、
前記下り制御チャネルは、下りＤＣＩフォーマットを使用する下り制御チャネルであり、
上りＤＭＲＳの伝送位置を決定することは、前記下り制御チャネルに対応するＡＣＫ／ＮＡＣＫフィードバック情報を伝送するｓＰＵＣＣＨのＤＭＲＳの伝送位置を決定し、前記ＤＭＲＳの伝送位置を確定するための情報を前記下り制御チャネルによって端末に通知することを含む方式３と
のいずれかのひとつの方式を実行することを特徴とする基地局。
【請求項１８】
請求項１７に記載の基地局において、
前記方式１を採用する場合に、前記ｓＰＵＳＣＨとＤＭＲＳは異なるスケジューリングシーケンスを使用し、
前記方式３を採用する場合に、前記ｓＰＵＣＣＨとＤＭＲＳは異なるスケジューリングシーケンスを使用する
ことを特徴とする基地局。
【請求項１９】
請求項１８に記載の基地局において、
前記方式１を採用する場合に、
前記プロセッサが、番号ｎのサブフレームあるいは短ＴＴＩにて伝送され、上りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、ｎが自然数であり、
または、前記プロセッサが、番号ｎのサブフレームあるいは短ＴＴＩにて伝送され、上りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、
または、前記プロセッサが、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、
または、前記プロセッサが、番号ｎのサブフレームあるいは短ＴＴＩにて伝送され、上りＤＣＩフォーマットを用いる下り制御チャネルによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、
または、前記プロセッサが、番号ｎのサブフレームあるいは短ＴＴＩにて伝送され、上りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、上りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルによってスケジューリングされたｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数であり、
前記方式３を採用する場合に、
前記プロセッサが、番号ｎのサブフレームあるいは短ＴＴＩにて伝送され、下りＤＣＩフォーマットを用いる下り制御チャネルによりｎ＋ｋ＋ｍ１の時間領域位置で伝送されるｓＰＵＳＣＨをスケジューリングすることを予め定義し、前記ｓＰＵＳＣＨのＤＭＲＳをｎ＋ｋ＋ｍ２あるいはｎ＋ｋ＋ｍ１＋ｍ２の時間領域位置で伝送し、ただし、ｋは予め定義された値、または事前設定された値、または前記下り制御チャンネルによって通知された値であり、ｍ１、ｍ２は前記下り制御チャンネルによって通知された値であり、ｋ、ｍ１、ｍ２の単位はサブフレーム、短ＴＴＩあるいはＳＣ−ＦＤＭＡシンボルであり、
または、前記プロセッサが、番号ｎのサブフレームあるいは短ＴＴＩにて伝送され、下りＤＣＩフォーマットを用いる下り制御チャネルによりｎ＋ｋ１＋ｍ１の時間領域位置で伝送されるｓＰＵＳＣＨをスケジューリングすることを予め定義し、前記ｓＰＵＳＣＨのＤＭＲＳをｎ＋ｋ２＋ｍ２あるいはｎ＋ｋ２＋ｍ１＋ｍ２の時間領域位置で伝送し、ただし、ｋ１、ｋ２は予め定義された値、または事前設定された値、または前記下り制御チャンネルによって通知された値であり、ｍ１、ｍ２は前記下り制御チャンネルによって通知された値であり、ｋ１、ｋ２、ｍ１、ｍ２の単位はサブフレーム、短ＴＴＩあるいはＳＣ−ＦＤＭＡシンボルであり、ｎが自然数であり、
または、前記プロセッサが、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、前記ｓＰＵＳＣＨのＤＭＲＳをｎ＋ｋ＋ｍ２の時間領域位置で伝送し、ただし、ｋは予め定義された値、または事前設定された値、または前記下り制御チャンネルによって通知された値であり、ｍ２は前記下り制御チャンネルによって通知された値であり、ｋ、ｍ２の単位はサブフレーム、短ＴＴＩあるいはＳＣ−ＦＤＭＡシンボルであり、ｎが自然数であり、
または、前記プロセッサが、番号ｎのサブフレームあるいは短ＴＴＩにて伝送され、下りＤＣＩフォーマットを用いるによりｎ＋ｋ１の時間領域位置で伝送されるｓＰＵＳＣＨをスケジューリングすることを予め定義し、前記ｓＰＵＳＣＨのＤＭＲＳをｎ＋ｋ２＋ｍ２の時間領域位置で伝送し、ただし、ｋ１、ｋ２は予め定義された値、または事前設定された値、または前記下り制御チャンネルによって通知された値であり、ｍ２は前記下り制御チャンネルによって通知された値であり、ｋ１、ｋ２、ｍ２の単位はサブフレーム、短ＴＴＩあるいはＳＣ−ＦＤＭＡシンボルであり、ｎが自然数であり、
または、前記プロセッサが、番号ｎのサブフレームあるいは短ＴＴＩにて伝送され、下りＤＣＩフォーマットを用いる下り制御チャネルによりｎ＋ｋの時間領域位置で伝送されるｓＰＵＳＣＨをスケジューリングすることを予め定義し、あるいは番号ｎのサブフレームあるいは短ＴＴＩにて伝送され、下りＤＣＩフォーマットを用いる下り制御チャネルによりｎ＋ｋ＋ｍの時間領域位置で伝送されるｓＰＵＳＣＨをスケジューリングすることを予め定義し、前記下り制御チャネルに対応するｓＰＵＳＣＨ伝送が存在するサブフレームあるいはタイムスロットにおけるＳＣ−ＦＤＭＡシンボルの番号であるＤＭＲＳインデックス位置を前記下り制御チャネルにて指示し、ただし、ｋは予め定義された値、または事前設定された値、または前記下り制御チャンネルによって通知された値であり、ｍは前記下り制御チャンネルによって通知された値であり、ｋ、ｍの単位はサブフレーム、短ＴＴＩあるいはＳＣ−ＦＤＭＡシンボルであり、ｎが自然数である
ことを特徴とする基地局。
【請求項２０】
請求項１２に記載の基地局において、
複数の端末ＴＤＭが異なる上り短ＴＴＩ伝送を用いた場合、複数の上り短ＴＴＩ伝送は同じ時間領域位置を共有してＤＭＲＳを伝送し、そのうち、１つのタイムスロット／サブフレームにおけるＤＭＲＳの伝送するための特定位置が前記下り制御チャンネルによって指示されること、及び／又は、
端末が複数の上り短ＴＴＩ伝送に連続してスケジューリングされた場合、ＤＭＲＳを該端末がスケジューリングされた複数の上り短ＴＴＩの間で伝送するように前記下り制御チャンネルによって指示される
ことを特徴とする基地局。
【国際調査報告】
2019525608.tif 000015
2019525608.tif 000016
2019525608.tif 000017
2019525608.tif 000018